【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
ＲＦ入力信号をＲＦ出力信号に増幅する無線周波数（ＲＦ）電力増幅器のための電源であって、前記電源は、
前記電源への入力電圧を前記ＲＦ電力増幅器の第１の供給電圧に変換する第１の電力変換器と、
前記入力電圧および前記第１の供給電圧を受信し、前記入力電圧または前記第１の供給電圧のいずれか一方を、前記ＲＦ電力増幅器の第２の供給電圧の少なくとも一部に選択的に変換する第２の電力変換器とを備える、電源。
【請求項２】
前記ＲＦ入力信号の振幅を示す振幅信号に基づいて、前記第２の電力変換器への供給制御信号を生成する制御回路をさらに備え、
前記第２の電力変換器は、前記供給制御信号に基づいて、前記ＲＦ電力増幅器の前記第２の供給電圧の前記一部のレベルを制御する、請求項１に記載の電源。
【請求項３】
前記第２の電力変換器は、前記電源への前記入力電圧のレベルに基づいて、前記入力電圧または前記第１の供給電圧のいずれか一方を変換のために選択する、請求項１に記載の電源。
【請求項４】
前記第２の電力変換器は、前記入力電圧または前記第１の供給電圧のいずれか一方を第１の出力電圧に選択的に変換し、さらに、
前記入力電圧を受信し、前記入力電圧を第２の出力電圧に変換する第３の電力変換器と、
前記第１の出力電圧および前記第２の出力電圧を前記ＲＦ電力増幅器の前記第２の供給電圧に結合する電力結合器回路とを備える、請求項１に記載の電源。
【請求項５】
前記電力増幅器への前記ＲＦ入力信号の振幅が閾値未満であることに応答して、前記電源は前記第３の電力変換器を無効にする、請求項４に記載の電源。
【請求項６】
前記ＲＦ電力増幅器への前記第１の供給電圧と前記ＲＦ電力増幅器への前記第２の供給電圧との間に結合されるスイッチをさらに備え、
前記電力増幅器への前記ＲＦ入力信号の前記振幅が閾値未満であることに応答して、前記電源は前記第２の電力変換器を無効にし、前記スイッチを閉じて前記第１の供給電圧と前記第２の供給電圧とを接続する、請求項５に記載の電源。
【請求項７】
前記電力増幅器への前記ＲＦ入力信号の前記振幅が前記閾値未満であることに応答して、前記電源は前記第３の電力変換器を無効にする一方で前記第２の電力変換器を有効にし続ける、請求項５に記載の電源。
【請求項８】
前記第３の電力変換器は、前記第１の電力変換器および前記第２の電力変換器よりも高い周波数で動作する、請求項４に記載の電源。
【請求項９】
前記第１の電力変換器は第１のスイッチング電力変換器であり、前記第２の電力変換器は第２のスイッチング電力変換器であり、前記第３の電力変換器はリニア電力変換器である、請求項４に記載の電源。
【請求項１０】
前記第１の供給電圧は、前記ＲＦ電力増幅器の第１の段に電力を提供し、前記第２の供給電圧は、前記第１の段に続く前記ＲＦ電力増幅器の第２の段に電力を提供する、請求項１に記載の電源。
【請求項１１】
前記第２の供給電圧は、前記ＲＦ電力増幅器の第１の段に電力を提供し、前記第１の供給電圧は、前記第１の段に続く前記ＲＦ電力増幅器の第２の段に電力を提供する、請求項１に記載の電源。
【請求項１２】
前記入力電圧はバッテリ電圧である、請求項１に記載の電源。
【請求項１３】
前記ＲＦ電力増幅器への前記第２の供給電圧は、前記ＲＦ電力増幅器への前記ＲＦ入力信号の振幅を追跡する、請求項１に記載の電源。
【請求項１４】
ＲＦ入力信号をＲＦ出力信号に増幅する無線周波数（ＲＦ）電力増幅器に電力を提供する電源における動作の方法であって、前記方法は、
第１の電力変換器によって、前記電源への入力電圧を前記ＲＦ電力増幅器の第１の供給電圧に変換することと、
第２の電力変換器によって、前記電源への前記入力電圧または前記ＲＦ電力増幅器の前記第１の供給電圧のいずれか一方を、前記ＲＦ電力増幅器の第２の供給電圧の少なくとも一部に選択的に変換することとを備える、方法。
【請求項１５】
前記ＲＦ入力信号の振幅を示す振幅信号に基づいて、前記第２の電力変換器への供給制御信号を生成することと、
前記第２の電力変換器によって、前記供給制御信号に基づいて、前記ＲＦ電力増幅器の前記第２の供給電圧の前記一部のレベルを制御することとをさらに備える、請求項１４に記載の方法。
【請求項１６】
前記第２の電力変換器によって選択的に変換することは、前記入力電圧のレベルに基づいて、変換のために前記入力電圧または前記第１の供給電圧のいずれか一方を選択することを含む、請求項１４に記載の方法。
【請求項１７】
前記ＲＦ電力増幅器の前記第２の供給電圧の前記一部は第１の出力電圧であり、前記方法は、さらに、
第３の電力変換器によって、前記入力電圧を第２の出力電圧に変換することと、
前記第１の出力電圧および前記第２の出力電圧を前記ＲＦ電力増幅器の前記第２の供給電圧に結合することとを備える、請求項１４に記載の方法。
【請求項１８】
前記ＲＦ電力増幅器への前記ＲＦ入力信号の振幅が閾値未満であることに応答して、前記第３の電力変換器を無効にすることをさらに備える、請求項１７に記載の方法。
【請求項１９】
前記ＲＦ電力増幅器への前記ＲＦ入力信号の前記振幅が前記閾値未満であることに応答して、前記第２の電力変換器を無効にし、前記第１の供給電圧と前記第２の供給電圧とを接続することをさらに備える、請求項１７に記載の方法。
【請求項２０】
前記ＲＦ電力増幅器への前記ＲＦ入力信号の前記振幅が前記閾値未満であることに応答して、前記第３の電力変換器を無効にする一方で前記第２の電力変換器を有効に維持することをさらに備える、請求項１８に記載の方法。
【手続補正２】
【補正対象書類名】明細書
【補正対象項目名】００１６
【補正方法】変更
【補正の内容】
【００１６】
エンベロープトラッキング電源１００は、バッテリ入力電圧ＶＢＡＴをＰＡ１１２への供給電圧ＶＣＣ１およびＶＣＣ２に変換する。供給電圧ＶＣＣ１およびＶＣＣ２はエンベロープトラッキングモードで制御され得、この間、ＶＣＣ１は比較的一定に保持され、ＶＣＣ２は振幅信号１０８の瞬間的なエンベロープ振幅を追跡する。供給電圧ＶＣＣ１およびＶＣＣ２は平均電力トラッキングモードで制御され得、この間、ＶＣＣ１およびＶＣＣ２は振幅信号１０８の平均エンベロープ振幅を大まかに追跡する。ＰＡ１１２はエンベロープトラッキング電源１００の負荷の例であるが、他の実施形態では当該電源を用いてＰＡ１１２以外の負荷に電力を提供してもよい。図示されるように、エンベロープトラッキング電源１００は、制御回路１２４、バック／ブースト電力変換器１２６、バック電力変換器１２８、リニア電力変換器１３０および電力結合器回路１３２を含む。
【手続補正３】
【補正対象書類名】明細書
【補正対象項目名】００４４
【補正方法】変更
【補正の内容】
【００４４】
図６は、別の実施形態に係る、エンベロープトラッキング電源１００によって電力を供給されるＲＦ  ＰＡシステムである。図６のこのＲＦ  ＰＡシステムは、供給電圧ＶＣＣ１および供給電圧ＶＣＣ２の接続が逆になっている以外は図５のＲＦ  ＰＡシステムと同様である。供給電圧ＶＣＣ２は、ここでは電力結合器１３２を介してバックコンバータ１２８によって供給される。供給電圧ＶＣＣ１は、ここではバック／ブーストコンバータ１２６によって供給される。リニアコンバータ１３０は依然として無効にされている。